(57)【要約】【課題】廃棄処分における利便性を高めつつ書類の加除を容易に行うことができ、製造や構造の複雑化を回避することができるようにすること。【解決手段】綴じ具１０は、帯状をなす紙紐を用いて構成されている。綴じ具１０は、ベース１１と、このベース１１の延出方向両側にそれぞれ設けられた第１及び第２の綴じ足１３，１４とを備えている。第１の綴じ足１３には開口部１６が設けられ、第２の綴じ足１４には引っ掛け部１７が設けられている。開口部１６は、第１の綴じ足１３の面内を貫通する穴により形成され、内部に第２の綴じ足１４を挿通可能に設けられている。引っ掛け部１７は、開口部１６の内周側に引っ掛かり可能な形状を備え、開口部１６に引っ掛け部１７を引っ掛けることにより書類Ｐが綴じ込まれる。【選択図】図１
2008114517.tif 000002
【特許請求の範囲】
【請求項１】
ベースと、このベースの延出方向両側にそれぞれ設けられた綴じ足とを備えて帯状をなす紙製の綴じ具において、
一方の綴じ足の面内を貫通する穴により形成され、内部に他方の綴じ足を挿通可能に設けられた開口部と、他方の綴じ足に形成されて前記開口部の内周側に引っ掛かり可能な引っ掛け部とを備えていることを特徴とする綴じ具。
【請求項２】
前記開口部における綴じ足の延出方向に沿う幅は、綴じ足の幅と略同一又は若干大きく設定されていることを特徴とする請求項１記載の綴じ具。
【請求項３】
前記開口部には、その内側に突出する突部が形成されている一方、前記引っ掛け部は、他方の綴じ足の面内を貫通する穴により形成され、この穴は、前記突部を受容可能に設けられていることを特徴とする請求項１又は２記載の綴じ具。
【請求項４】
前記引っ掛け部は、前記他方の綴じ足における幅方向の少なくとも一端側を部分的に切り欠くことにより形成されていることを特徴とする請求項１又は２記載の綴じ具。
【請求項５】
前記引っ掛け部は、他方の綴じ足の延出方向に沿って複数箇所に設けられていることを特徴とする請求項１ないし４の何れかに記載の綴じ具。
【請求項６】
前記請求項１〜５の何れかに記載の綴じ具と、表表紙と裏表紙とを少なくとも備えるとともに、前記綴じ具のベースが固定される表紙体とを含むことを特徴とするファイル。
【発明の詳細な説明】
【技術分野】
【０００１】
本発明は、綴じ具及びファイルに係り、更に詳しくは、帯状の紙により形成された綴じ具及びファイルに関する。
【背景技術】
【０００２】
従来より、規格化された二つのパンチング穴に綴じ足をそれぞれ挿通して書類を綴じ込むことのできる綴じ具が知られている（例えば、特許文献１参照）。特許文献１の綴じ具は、帯状に設けられた紙製テープの両端側をそれぞれ綴じ足として形成しており、書類を綴じた状態のままで当該書類を古紙回収用に廃棄したり、シュレッダーを用いて裁断できる、という利点がある。前記綴じ足の先端側には、接着剤が塗布されており、この接着剤を介して各綴じ足を相互に接着することにより、綴じ足を挿通した書類が脱落しないように綴じ込まれる。
【０００３】
【特許文献１】特開２００３−１１８２６２号公報
【特許文献２】特許第３３６７３９４号公報
【発明の開示】
【発明が解決しようとする課題】
【０００４】
しかしながら、特許文献１の綴じ具にあっては、各綴じ足の接着を解除することが困難となる他、各綴じ足を再接着する際には接着力が低下する傾向があり、書類の加除作業が面倒で行い難くなる、という不都合を招来する。
【０００５】
ところで、特許文献２では、一対の綴じ足の先端側を相互に嵌合可能な綴じ具が提案されている。同文献の綴じ具によれば、各綴じ足を重ね合わせて嵌合することにより書類の綴じ込みを維持できる一方、前記嵌合を解除することで、綴じ足に書類を加除することができる。
【０００６】
ところが、特許文献２の綴じ具は、樹脂成形品であるので、前述の特許文献１の利点を得ることができなくなる、という不都合がある。また、綴じ足に種々の凹凸が形成される等、構造が複雑化する他、樹脂材により成形を行うための装置や設備が大掛かりとなる、という不都合を生じる。
【０００７】
［発明の目的］
本発明は、このような不都合に着目して案出されたものであり、その目的は、紙製として廃棄等における利便性を高めつつ書類の加除を容易に行うことができ、且つ、製造や構造の複雑化を回避することができる綴じ具及びファイルを提供することにある。
【課題を解決するための手段】
【０００８】
前記目的を達成するため、本発明は、ベースと、このベースの延出方向両側にそれぞれ設けられた綴じ足とを備えて帯状をなす紙製の綴じ具において、
一方の綴じ足の面内を貫通する穴により形成され、内部に他方の綴じ足を挿通可能に設けられた開口部と、他方の綴じ足に形成されて前記開口部の内周側に引っ掛かり可能な引っ掛け部とを備える、という構成を採っている。
【０００９】
本発明において、前記開口部における綴じ足の延出方向に沿う幅は、綴じ足の幅と略同一又は若干大きく設定される、という構成が好ましくは採用される。
【００１０】
また、前記開口部には、その内側に突出する突部が形成されている一方、前記引っ掛け部は、他方の綴じ足の面内を貫通する穴により形成され、この穴は、前記突部を受容可能に設けられる、という構成を採ることが好ましい。
【００１１】
更に、前記引っ掛け部は、前記他方の綴じ足における幅方向の少なくとも一端側を部分的に切り欠くことにより形成され、という構成も採用される。
【００１２】
また、前記引っ掛け部は、他方の綴じ足の延出方向に沿って複数箇所に設けられることが好ましい。
【００１３】
更に、本発明のファイルは、請求項１〜５の何れかに記載の綴じ具と、表表紙と裏表紙とを少なくとも備えるとともに、前記綴じ具のベースが固定される表紙体とを含む、という構成が採用される。
【発明の効果】
【００１４】
本発明によれば、開口部及び引っ掛け部の引っ掛け及びその解除を容易に行うことができ、綴じ足への書類の加除を複数回に亘って迅速に難なく行えるようになる。しかも、綴じ具全体が帯状となる紙製とされるので、穴からなる開口部や、切り欠きや穴からなる引っ掛け部をプレスや切断処理等により簡単に加工でき、綴じ具全体の構造や製造設備の簡略化を図ることが可能となる。更には、書類から綴じ具を取り外すことなく、古紙回収用に廃棄することができる他、シュレッダーにより裁断したり不都合なく焼却したりすることもでき、書類の処分の作業性を向上させることが可能となる。
【００１５】
また、開口部の幅を綴じ足の幅と略同一又は若干大きく設定することにより、開口部に綴じ足をスムースに挿通することができる。
【００１６】
更に、綴じ足の延出方向に沿って複数箇所に引っ掛け部を設けた場合、開口部に引っ掛ける引っ掛け部を変更することにより、綴じ込む書類の厚さの変化に容易に対応することができる。
【発明を実施するための最良の形態】
【００１７】
以下、本発明の実施の形態を図面を参照しながら説明する。
【００１８】
図１には、実施形態に係る綴じ具の書類の加除作業時の概略斜視図が示され、図２には、前記綴じ具が書類を綴じ込んだ状態の正面図が示されている。これらの図において、綴じ具１０は、書類Ｐの規格化された二つのパンチング穴Ｐ１，Ｐ１間に位置するベース１１と、このベース１１の延出方向両側にそれぞれ連なって設けられた一対の綴じ足１３，１４とを備えて構成されている。
【００１９】
綴じ具１０は、全体として略扁平となる帯状の紙紐により構成されている。具体的には、図１及び図３に示されるように、紙糸若しくは紙縒り１０Ａを相互に略平行に配して連結された水引形状に設けられている。紙糸若しくは紙縒り１０Ａの本数は、特に限定されるものではないが、本実施形態では、四本を相互に連結したものにより構成され、その横断面形状における連結位置の厚みが相対的に薄くなる薄肉部１０Ｂを幅方向三箇所に備えている（図３参照）。
【００２０】
紙縒り１０Ａの直径は約１ｍｍ強程度であり、帯状としたときの幅が５ｍｍ程度の寸法に収まるように設定されている。但し、これらのサイズ若しくは寸法は、本発明を限定するものではなく、必要に応じて変更することができるものである。紙縒り１０Ａは、周知のように、細く切った紙によりをかけて紐状にしたものであるため、一本の強度は非常に強くなる。従って、これらを複数本連結して帯状の水引形状としたときの強度は更に増大し、折り曲げ等、反復継続的な使用に十分に耐え得えることができるとともに、いわゆる腰が強く、且つ、寸法変化も殆ど生じないものとなる。
【００２１】
前記ベース１１及び綴じ足１３，１４は、前述の紙紐を延出方向に沿う二箇所位置で折り曲げることにより形成され、各折り曲げ位置が綴じ足１３，１４の基部となり、それらの間がベース１１として形成される。
ここで、以下において、説明の便宜上、図１中左側の綴じ足を第１の綴じ足１３、同図中右側の綴じ足を第２の綴じ足１４と称する。また、図４の平面図では、第１及び第２の綴じ足１３，１４の見分けを容易にすべく、第２の綴じ足１４を網点により示している。但し、これは、第１及び第２の綴じ足１３，１４の色彩や模様等を限定するものでない。
【００２２】
前記第１及び第２の綴じ足１３，１４は、先端側に向かうに従って次第に細くなる形状に設けられている。また、第１及び第２の綴じ足１３，１４は、図２に示されるように、書類Ｐを綴じ込んだときに、相互に重なり合う長さに設定されている。第１の綴じ足１３には開口部１６が設けられている一方、第２の綴じ足１４には引っ掛け部１７が設けられている。
【００２３】
前記開口部１６は、第１の綴じ足１３の先端側における面内を貫通する穴により形成されている。開口部１６の図１中下部内周縁には、開口部１６の内側方向（同図中上方向）に突出する突部１６Ａが形成され、この突部１６Ａは、先細となるように尖った形状に設けられている。なお、突部１６Ａの形成位置及び向きは変更してもよく、例えば、開口部１６の図１中上部内周縁から下方に突出するように形成してもよい。開口部１６は、第１の綴じ足１３の延出方向に沿う幅Ｗ１（図１中上下幅）が綴じ足１３の幅Ｗ２と略同一又は若干大きく設定され、内部に第２の綴じ足１４を挿通させ易くなっている。
【００２４】
前記引っ掛け部１７は、第２の綴じ足１４の面内を貫通する穴により形成され、当該綴じ足１４の延出方向に沿って複数箇所（本実施形態では二箇所）に設けられている。引っ掛け部１７は、図４に示されるように、前記突部１６Ａを受容可能に設けられ、これにより、引っ掛け部１７と開口部１６の内周側とが引っ掛かり、意図することなく開口部１６から第２の綴じ足１４が抜け出さないようになっている。
【００２５】
以上の構成において、図１に示される状態から綴じ具１０により書類Ｐを綴じ込む場合、開口部１６内に第２の綴じ足１４を挿通し、引っ掛け部１７内に突部１６Ａを受容させて引っ掛ければよい。ここで、開口部１６内へ第２の綴じ足１４を挿通する操作は、開口部１６を第１の綴じ足１３の幅方向に拡げながら行ってもよいが、第２の綴じ足１４の面が前記幅Ｗ１方向に沿うように捻りながら挿通してもよく、これにより、スムースなる挿通操作を行うことが可能となる。開口部１６に引っ掛け部１７を引っ掛けると、図２に示されるように、第１及び第２の綴じ足１３，１４が書類Ｐ上で相互に重なり合った状態で当該書類Ｐを綴じ込みこととなる。
【００２６】
一方、書類Ｐの加除を行う場合、引っ掛け部１７内から突部１６Ａを抜き出し、それらの引っ掛かりを解除した後、開口部１６から第２の綴じ足１４を抜き出して図１に示される状態とすればよい。
これにより、各綴じ足１３，１４に書類Ｐのパンチング穴Ｐ１を挿通させたり、各綴じ足１３，１４から書類Ｐを取り外すことが可能となる。
【００２７】
また、綴じ込む書類Ｐ全体の厚みが変化した場合、複数の引っ掛け部１７のうち、突部１６Ａに引っ掛ける引っ掛け部１７を適宜変えることにより、綴じ込み姿勢をより良く保つことができる。
【００２８】
従って、このような実施形態によれば、書類Ｐの加除を容易に行うことができ、且つ、書類Ｐから綴じ具１０を抜き取ることなく、書類Ｐのシュレッダー処理やリサイクル用の廃棄を行うことが可能となる。しかも、前述した帯状の紙紐に対し、開口部１６や引っ掛け部１７を形成すべくプレス等の加工を施すだけで、綴じ具１０を簡単に製造することが可能となる。
【００２９】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材質、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記開口部１６や引っ掛け部１７は、種々の設計変更が可能であり、例えば、図５〜図８に示されるように変更することが例示できる。図５及び図６の構成では、第１の綴じ足１３の幅方向中央部に綴じ足１４の幅と略同一又は若干大きく設定している略方形状の開口部１６を設ける一方、第２の綴じ足１４の幅方向両端側を部分的に（同図の変形例では台形状に）切り欠くことにより引っ掛け部１７を形成している。また、図６及び図７の構成では、第１の綴じ足１３の面内に当該綴じ足１３の延出方向に延びる同様の細長い開口部１６を設ける一方、第２の綴じ足１４の幅方向一端側（図８中上端側）を部分的にコ字状に切り欠くことにより引っ掛け部１７を形成している。
【００３１】
また、前記綴じ具１０は、少なくとも表表紙及び裏表紙を備えた表紙体に取り付けてファイルを構成するようにしてもよく、この場合、ベース１１を前記表紙体に固定することが好ましい。
【図面の簡単な説明】
【００３２】
【図１】実施形態に係る綴じ具の書類の加除作業時の概略斜視図。
【図２】前記綴じ具が書類を綴じ込んだ状態の正面図。
【図３】図１のＡ−Ａ線に沿う断面図。
【図４】図２の要部拡大平面図。
【図５】変形例に係る綴じ具の図１と同様の斜視図。
【図６】変形例に係る綴じ具の図４と同様の平面図。
【図７】他の変形例に係る綴じ具の図１と同様の斜視図。
【図８】他の変形例に係る綴じ具の図４と同様の平面図。
【符号の説明】
【００３３】
１０  綴じ具
１１  ベース
１３  第１の綴じ足
１４  第２の綴じ足
１６  開口部
１６Ａ  突部
１７  引っ掛け部
【図１】
2008114517.tif 000003
【図２】
2008114517.tif 000004
【図３】
2008114517.tif 000005
【図４】
2008114517.tif 000006
【図５】
2008114517.tif 000007
【図６】
2008114517.tif 000008
【図７】
2008114517.tif 000009
【図８】
2008114517.tif 000010